(57)【要約】      （修正有）【課題】幼児の着火操作や不注意による着火を防止して安全性を確保すると共に本来のガスコンロ等の点火目的に使用する者にとって使い勝手のよい良好な操作性を確保することができる点火器を提供する。【解決手段】ガス通路１１、噴出ノズル１２、放電端子１３を配設した棒状部１０と、棒状部と連結され、ガスタンク２１、ガス供給制御用バルブ機構２２、放電電圧給電用圧電機構、着火操作部３０を配設した把持部２０とを備え、着火操作部の操作により圧電機構２３と圧電機構とが連動動作して着火するように構成された点火器において、前記着火操作部は、付勢バネ３９を備え、支点を軸にして複数の指による握力を利用して点火器の長手方向と交差する方向に押し込み操作することにより着火操作するように構成され、押し込み操作荷重を４０〜５０ニュートンとし、かつ把持部の外周寸法を１２〜１５ｃｍとした。【選択図】図１
0003169595.tif 000002
【実用新案登録請求の範囲】
【請求項１】
内部にガス通路を備え、先端部にガスを噴出する噴出ノズルと該噴出ノズル近傍に配置された放電端子とが配設された棒状部と、前記棒状部と連結されており、燃料を収容するガスタンクと、該ガスタンクから前記噴出ノズルへのガスの供給を制御するバルブ機構と、着火用の放電電圧を給電する圧電機構と、着火操作する着火操作部とが配設された把持部と、を備え、該着火操作部の操作により圧電機構が動作し、該圧電機構の動作に連動してバルブ機構がガスを供給して噴射ノズルから燃料ガスを噴出させて着火するように構成された点火器において、
前記把持部に配設された着火操作部は、前記把持部の棒状部側に配設された圧電機構近傍に押し込み操作方向に抗して付勢する付勢バネを備え、前記棒状部の逆方向の後端部側に配設され着火操作部の回転動を可能にする支点を軸にして複数の指による握力を利用して点火器の長手方向と交差する方向に押し込み操作することにより噴射ノズルに着火操作するように構成され、そして、着火操作部の押し込み操作荷重を４０〜５０ニュートンとし、かつ該着火操作部近傍における把持部の点火器の長手方向と交差する外周寸法が１２〜１５ｃｍであって幼児の押し込み操作を不可能とする荷重、外周寸法である、ことを特徴とする点火器。
【請求項２】
前記着火操作部の外側最頂端部が、着火操作部と接する部分における把持部ケースの両突出部を結ぶ直線上から外側方向にはみ出さないように形成されたことを特徴とする請求項１に記載の点火器。
【請求項３】
前記点火器を使用しないときは、前記着火操作部の操作を不能にするために、前記支点の逆方向側端部に形成される着火操作部の圧電機構作動部の一部に接して、着火操作部の押し込み動作を禁止する操作ロック機構を備えたことを特徴とする請求項１叉は２のいずれかに記載の点火器。
【考案の詳細な説明】
【技術分野】
【０００１】
本考案は、ガスコンロやローソク等の点火に使用する点火器に関し、特に本来の使用目的のために使用する者にとって使い勝手のよい良好な操作性を確保すると共に、適切な使用方法を知らない者が点火できないようにし、また不注意による着火や意図しない着火を防止するために安全性を確保することができる点火器に関する。
【背景技術】
【０００２】
ガスコンロやローソク等の点火に適した点火器として、長尺の棒状部と把持部により形成され、棒状部にガス通路、ガス噴出ノズル、放電端子等を備え、把持部にガス（燃料）タンク、前記噴出ノズルへのガスの供給を制御するバルブ機構、着火用の放電電圧を給電する圧電機構、着火操作部等を備え、着火操作部の操作により圧電機構が動作し、該圧電機構の動作に連動してバルブ機構がガスを供給して噴射ノズルから燃料ガスを噴出させて着火するように構成された点火器が知られている。
【０００３】
また、適切な使用方法を知らない幼児等が不用意に点火できないように、或いは不注意等による偶発的な着火が発生しないように安全性を確保するために、操作を禁止する操作ロック機構を設ける、或いは着火操作荷重を増大させる等の対策が講じられた点火器が開発されている。
【０００４】
点火器に関し、特許文献１は、着火操作部として点火器の長手方向と交差する方向へ押圧操作する押ボタン１２（図１）や点火器の長手方向に操作ボタンを押圧操作する引金状の押スイッチ５５（図２）を開示し、安全性確保のために押す装置７を設けて押す装置７に備えられる押ボタン７３を押さなければ着火しないように構成された点火器を開示している。
【０００５】
特許文献２は、着火操作部として点火器の長手方向に指で押し下げ操作する操作ボタン３Ａを開示し、安全性確保のために着火操作初期等に不必要に操作を重くすることなく放電直前には操作荷重を大きくするように構成された圧電着火式点火棒の着火操作機構を開示している。また、特許文献３は、着火操作部として点火器の長手方向に指で押し下げ操作する操作部材５、１５を開示し、安全性確保のために点火ロックとロック解除と自動復帰とが行えるように構成された点火棒を開示している。
【０００６】
これらの文献に開示された点火器の着火操作部は、点火器の長手方向と交差する方向或いは点火器の長手方向に押圧，押し込み操作するものであるが、いずれも親指、人差し指等単数の指により押圧，押し込み操作するものである。また、着火操作機構の他に押ボタン、ロック機構等を配設して着火操作に加えてこれらのボタン操作を必要とする。着火操作時に操作荷重を大きくしているために、本来の使用目的のために使用する者にとって使い勝手、操作性の点で良好なものとはいえなかった。
【先行技術文献】
【特許文献】
【０００７】
【特許文献１】実用新案登録第３０６６９８６号公報
【０００８】
【特許文献２】特開２００２−５４８１４号公報
【０００９】
【特許文献３】特開２００１−２１５０１４号公報
【考案の概要】
【考案が解決しようとする課題】
【００１０】
本考案は上記事情に鑑みなされたものであり、着火操作部の押し込み操作荷重を４０ニュートン以上とし、かつ把持部の外周寸法を幼児の操作を不可能とする寸法とすると共に複数の指による握力を利用して着火操作することにより、幼児の着火操作や不注意による着火を防止すると共に本来の目的に使用する者にとって使い勝手のよい良好な操作性を確保することができる点火器を提供する。
【課題を解決するための手段】
【００１１】
請求項１に記載の考案は、内部にガス通路を備え、先端部にガスを噴出する噴出ノズル１２と該噴出ノズル近傍に配置された放電端子１３とが配設された棒状部１０と、前記棒状部と連結されており、燃料を収容するガスタンク２１と、該ガスタンクから前記噴出ノズルへのガスの供給を制御するバルブ機構２２と、着火用の放電電圧を給電する圧電機構２３と、着火操作する着火操作部３０とが配設された把持部２０と、を備え、該着火操作部の操作により圧電機構が動作し、該圧電機構の動作に連動してバルブ機構がガスを供給して噴射ノズルから燃料ガスを噴出させて着火するように構成された点火器において、前記把持部に配設された着火操作部３０は、前記把持部の棒状部側に配設された圧電機構近傍に押し込み操作方向に抗して付勢する付勢バネ３９を備え、前記棒状部の逆方向の後端部側に配設され着火操作部の回転動を可能にする支点２４を軸にして複数の指による握力を利用して点火器の長手方向と交差する方向Ｐに押し込み操作することにより噴射ノズルに着火操作するように構成され、そして、着火操作部の押し込み操作荷重を４０〜５０ニュートンとし、かつ該着火操作部近傍における把持部の点火器の長手方向と交差する外周寸法が１２〜１５ｃｍであって幼児の押し込み操作を不可能とする荷重、外周寸法である点火器であることを特徴とする。なお、押し込み操作荷重は幼児の押し込み操作を不可能とする４０ニュートン以上であればよく、４０〜４５ニュートンが好ましい。
【００１２】
請求項２に記載の考案は、前記着火操作部３０の外側最頂端部が、着火操作部と接する部分における把持部ケースの両突出部Ａ、Ｂを結ぶ直線ＳＬ上から外側方向にはみ出さないように形成された点火器であることを特徴とする。
【００１３】
請求項３に記載の考案は、前記点火器を使用しないときは、前記着火操作部３０の操作を不能にするために、前記支点２４の逆方向側端部に形成される着火操作部の圧電機構作動部３１の一部に接して、着火操作部の押し込み動作を禁止する操作ロック機構４１を備えた点火器であることを特徴とする。
【考案の効果】
【００１４】
着火操作部の操作により圧電機構が動作し、該圧電機構の動作に連動してバルブ機構がガスを供給して噴射ノズルから燃料ガスを噴出させて着火するように構成された公知の点火器において、本考案における着火操作部は、後方に配置された支点を軸にして複数の指による握力を利用して点火器の長手方向と交差する方向に押し込み操作することにより着火操作するように構成されている。そのため、親指、人差し指等の単数の指により押圧，押し込み操作する点火器に比して、使用者は容易に着火操作ができる。
【００１５】
そして、本考案においては、着火操作部の押し込み操作荷重を４０〜５０ニュートンとし、かつ着火操作部近傍の把持部の外周寸法を１２〜１５ｃｍ程度とすることにより、幼児の着火操作を防止することができ、一方でガスコンロ等に点火のために使用する特に成人女性等にとっては押し込み操作に過度の力を要せず、握り易く使い勝手のよい良好な操作性を確保することができる。
【００１６】
さらに、本考案においては、着火操作部の外側最頂端面を着火操作部と接する部分における把持部ケースの両突出部の直線上から突出しないように形成しているので、足で踏み付ける等の不注意による着火や意図しない着火を防止することができる。また、本考案においては押し込み動作を禁止する操作ロック機構を備えているので点火器を使用しない際の偶発的な着火を防止することができる。
【図面の簡単な説明】
【００１７】
【図１】本考案に係る点火器の構成例を示す断面図である。
【図２】本考案に係る点火器の着火操作部の部分拡大断面図である。
【考案を実施するための形態】
【００１８】
以下、添付図を参照しつつ本考案に係る点火器の実施の形態について説明する。図１は本考案に係る点火器全体の構成例を示す断面図である。図１に示すように本考案に係る点火器は、長尺の棒状部１０とこれと連結された把持部２０とにより構成され、棒状部１０は内部にガス通路１１を備え、先端部にガスを噴出する噴出ノズル１２と放電端子１３を配設している。把持部２０には、燃料を収容するガスタンク２１、該ガスタンクから前記噴出ノズルへのガスの供給を制御するバルブ機構２２、着火用の放電電圧を給電する圧電機構２３、着火操作を行う着火操作部３０を配設している。また、把持部２０の上面には、火炎の量を調節するつまみ２５、ガスタンク内に収容される燃料の量を確認するための覗き窓２６が形成されている。なお、本考案に係る点火器には、いずれも図示していないが把持部の適宜部位に点火器を収納する際に使用する引っ掛け部や着火部のキャップを収容するためのキャップ引っ掛け部を配設することができる。
【００１９】
このような構成の本考案に係る点火器は、後述するように、棒状部の反対方向側（以下、「着火操作部後方側」ともいう。）の把持部に配設される支点２４を軸にして着火操作部３０を点火器の長手方向と交差する方向Ｐに着火操作者が押し込み操作することにより、棒状部方向側（以下、「着火操作部先方側」ともいう。）の着火操作部に形成される圧電機構作動部３１が放電電圧を給電する圧電機構２３を作動させ、圧電機構の動作に連動してバルブ機構２２がガスタンク２１からガスを供給し、当該ガスがガス通路１１を経て棒状部先端部の噴出ノズル１２から噴出する。ガス噴出の際に圧電機構２３が発生した放電電圧が噴射ノズルの近傍に設けられた放電端子１３と噴射ノズル先端の図示しないノズルチップとの間に印加され噴出した燃料ガスに着火する。そして着火した炎をガスコンロやローソク等に点火する。
【００２０】
次に、本考案に係る点火器の着火操作部３０について図２を参照して詳細に説明する。図２は本考案に係る点火器の着火操作部の構成を説明するための着火操作部の部分拡大断面図である。図１、２に示すように着火操作部３０は、把持部２０の下面に点火器の長手方向に長尺に形成して取り付けられ、着火操作部後方側に配設された支点２４を軸にして把持部下面側から上面側に向けて（Ｐ方向）上下動するように構成されている。
【００２１】
図２に示すように着火操作部３０は、着火操作部先方側に圧電機構を作動させる圧電機構作動部３１、バルブ機構を作動させるバルブ機構作動部３２、支点２４に連結される支点連結部３３、着火操作するとき手で握る際に複数の指が当接する指当て部３４により形成されている。指当て部３４は人差し指、中指又は薬指をフィットさせるための湾曲した指当て凹部３５、３６を形成している。
【００２２】
着火操作部に形成される圧電機構作動部３１は、一方の端部に圧電機構を作動させる作動棒３７を連結しており、作動棒は圧電機構を収容する圧電機構ケース３８内を貫通している。圧電機構ケースの端部と圧電機構作動部との間の作動棒に付勢バネ３９が配設され、また必要に応じて圧電機構ケース内の作動棒に付勢バネ４０が配設される。圧電機構作動部３１の他方の端部（外側端部）は、着火操作しない場合には把持部突出部Ａと接している。
【００２３】
付勢バネ３９は、着火操作を行いガスコンロやローソク等に点火した後、着火操作部３０が現状（着火操作しない状態）に復帰するように付勢する機能を有すると共に、着火操作部の押し込み操作荷重を幼児の押し込み操作を不可能とする４０〜５０ニュートンに達するように調整する機能を有するものである。この付勢バネは、コイルバネが好適であるが板バネを採用することもできる。また、押し込み操作荷重の調整のために必要であれば、前記付勢バネ３９に加えて圧電機構ケース内の作動棒に付勢バネ４０を追加配設することができる。なお、押し込み操作荷重はバネの素材、太さ等によって調整することができる。押し込み操作荷重は幼児の押し込み操作を不可能とする４０ニュートン以上であり、点火使用目的のために着火操作する者にとって操作性が確保できる４０ニュートン〜４５ニュートンが好ましい。
【００２４】
着火操作部に形成されるバルブ機構作動部３２は、指当て部３４に連結される突起状を形成しバルブ機構２２を作動させるものである。圧電機構作動部３１による圧電機構２３の作動に連動してバルブ機構作動部３２によりバルブ機構２２が作動して、棒状部先端部の噴出ノズル１２から燃料ガスが噴出し当該ガスに着火する。
【００２５】
着火操作部に形成される支点連結部３３は支点２４に連結され、当該支点を軸にした着火操作部のＰ方向への上下動により着火の開始操作、停止操作が行われる。着火操作しない場合は、支点連結部の後端部は把持部の突出部Ｂと接している。
【００２６】
着火操作部に形成される指当て部３４は、着火操作時の握り易さを確保すると共に押し込み操作を容易にするために、複数の指が当接するように長尺に形成し、また着火操作部先方側の外側に人差し指、中指又は薬指をフィットさせるための湾曲した指当て凹部３５、３６を形成している。着火操作者は指当て凹部３５、３６に人差し指、中指又は薬指を当てて複数の指による握力を利用して、点火器の長手方向と交差する方向Ｐに押し込み操作をして着火を行う。そのため本来の使用目的のために着火操作する成人にとって差ほどの労力を要せずに容易に着火操作が可能となる。
【００２７】
本考案に係る点火器の把持部２０は、着火操作部３０の近傍、特に指当て凹部３５、３６形成部分における把持部の点火器の長手方向と交差する外周の寸法（胴回り寸法）が１２〜１５ｃｍとなるように形成されている。実験によれば、薬指の第二関節から手のひらの中央部までの寸法が約１２ｃｍ未満（幼児の寸法）の者の着火操作部の押し込み操作は不可能である。また経験則によれば、一般的に対象物を握る場合、当該対象物の外周寸法が１２〜１５ｃｍ程度の把持部は一般の成人にとって最も握り易い寸法である。このような事情により本考案に係る点火器の把持部の外周寸法を１２〜１５ｃｍとしたものである。このような構成により、本考案に係る点火器は適切な使用方法を知らない幼児の着火操作を不可能とする共に本来の使用目的のために使用する成人にとって握り易く使い勝手のよい良好な操作性を確保することができる。
【００２８】
また、本考案に係る点火器の着火操作部３０の下面（外側）における最も高い部分（最頂端部）は、図２に示すように着火操作部と接する部分における把持部ケースの両突出部Ａ、Ｂを結ぶ直線ＳＬから外側方向にはみ出さないように形成されている。着火操作部の最頂端部を両突出部Ａ、Ｂを結ぶ直線ＳＬの内側に配置することによって、足で踏み付ける等の不注意による着火や意図しない着火を防止することができる。
【００２９】
本考案に係る点火器は着火操作部３０の押し込み動作を禁止する操作ロック機構４１を備えている。操作ロック機構４１は、板状に形成され把持部ケースの外側から手動によりスライド操作できるように構成され、図２に示すように着火操作部の圧電機構作動部３１の圧電機構側の端面近傍に配設されている。着火操作を行わず点火器を使用しない状態にあるときは、図２のように操作ロック機構は圧電機構作動部３１の圧電機構側端面に接した位置にあって押し込み動作を不能にして着火操作ロック状態にある。
【００３０】
一方、着火操作を行う際には、図２の矢印のように操作ロック機構４１を圧電機構作動部３１の圧電機構側端面から支点方向側に移動して操作ロック状態を解除することにより、押し込み動作を許容して着火操作部による着火操作が可能となる。なお、本考案においては操作ロック機構の配設位置、機能等はこれに限定されず、操作ロック機構を着火操作部の押し込み方向と交差する方向に移動可能に設置する等の各種ロック機構を採用することが可能である。このような操作ロック機構を備えることにより点火器を使用しない際の偶発的な着火を確実に防止することができる。
【産業上の利用可能性】
【００３１】
本考案に係る点火器は、着火操作部の押し込み操作荷重を４０ニュートン以上とし、かつ把持部の外周寸法を１２〜１５ｃｍとする共に複数の指による握力を利用して点火器の長手方向と交差する方向に押し込み操作することにより着火するように構成したことにより、幼児の着火操作や不注意による着火を防止すると共に本来の点火目的に使用する者にとって使い勝手のよい良好な操作性を確保することができる。従って、本考案に係る点火器は家庭用、業務用点火器としてのみならず、一定の距離を置いて使用する溶接等において使用される点火器等にも適用できる。
【符号の説明】
【００３２】
１０    棒状部
１１    ガス通路
１２    噴出ノズル
１３    放電端子
２０    把持部
２１    ガスタンク
２２    バルブ機構
２３    圧電機構
２４    支点
２５    火炎量調節用つまみ
２６    覗き窓
３０    着火操作部
３１    圧電機構作動部
３２    バルブ機構作動部
３３    支点連結部
３４    指当て部
３５、３６    指当て凹部
３７    作動棒
３８    圧電機構ケース
３９    付勢バネ
４０    追加付勢バネ
４１    操作ロック機構
Ｐ      押し込み方向
Ａ、Ｂ  把持部ケースの突出部
ＳＬ    Ａ、Ｂを結ぶ直線
【図１】
0003169595.tif 000003
【図２】
0003169595.tif 000004